Podtech/llm-jp-corpus-v4-ja_patent huggingface dataset:
(57)【要約】      （修正有）【課題】プラスチック類のリサイクルで特に不可能とされているＰＥＴ複合製品を加熱分解してエチレングリコールとテレフタル酸を回収し、エチレングリコールは燃料としてテレフタル酸はＰＥＴボトルの材料として再利用するＰＥＴ製品の加熱分解によるリサイクルの際発生する結晶を分離除去する。【解決手段】加熱分解設備の循環冷却機能を活用してテレフタル酸の結晶発生の温度帯を分解ガスが通過する際に結晶が配管に付着しないように管理運転する。【選択図】なし【特許請求の範囲】
【請求項１】
プラスチック類を熱分解して分解生成油に油化する方法において分解釜より出る分解ガスを循環冷却器で冷却した分解生成油との接触により冷却して生成油を凝縮し、気相から分離された分解生成油を循環冷却器に送ることを特徴とする、上記方法。
【請求項２】
ＰＥＴ製品はテレフタル酸とエチレングリーコールとの重縮合反応で得られるプラスチックである。このＰＥＴ製品の成分であるテレフタル酸を分解ガスの冷却過程で分離除去する方法。
【請求項３】
分解生成油を循環冷却する過程でＰＥＴ製品をから発生するテレフタル酸の結晶を分離除去する機器の。
【請求項４】
分解生成油を循環冷却する過程で運転に障害を残さず安全に分離除去する技術。
【請求項５】
運転中に安全に分離除去するための機器の操作に関する技法。
【発明の詳細な説明】
【発明の詳細な説明】
【技術分野】
【０００１】本発明はＰＥＴ製品のリサイクルに関するものである。
【背景技術】
【０００２】加熱分解するリサイクル技術では発生する結晶の分離回収が出来ず、特にＰＥＴの複合製品（例えばＰＥＴのシートにＰＥのシートを張り合わせ軽量化を図りながら製品の強度を強化するもの）が増えている状況下で現在リサイクル技術がなく焼却か埋立されている状況で本件の機器の発明は極めて需要の高いものです。
【発明が解決しようとする課題】
【０００３】本発明はＰＥＴ製品の加熱分解によるリサイクルの際発生する結晶を分離除去する機器の製作。
【問題を解決するための手段】
【０００４】当社の加熱分解によるリサイクル設備の循環冷却装置の既に特許を申請している機能を生かしては発生する結晶を除去しやすい状態で捕捉し分離回収する。
【実施の形態】
【０００５】テレフタル酸の結晶発生の温度帯を分解ガスが通過する際に結晶が配管に付着しないように管理運転する。
【図面の簡単な説明】
【０００６】
【図１】分離除去機器の設備本体の配管との位置関係
【図２】分離除去カートリッジ
【図３】分離除去機器への分離除去カートリッジの取付位置関係
【図１】
2015067834.tif 000002
【図２】
2015067834.tif 000003
【図３】
2015067834.tif 000004
(57)【要約】      （修正有）【課題】肌の弱い人やアトピー性の人や花粉症の人等、あまり石鹸が使えない人に対して、絹の本質を生かした肌に優しい手拭を提供する。【解決手段】着物の裏地として、多く使用されている絹１００％の羽二重生地を使い、一枚の布を布幅一杯に任意の箇所で任意の数の折山１を作り、折山線で布をたたむようにして縫い目２で折山１を固定し、布地に厚味と質感を持たせた。あるいは、布を重ねてピンタック又はギャザーを作り、布に厚みと質感を加味する。共に周囲にふち布３を縫い付ける。【選択図】図１
2015067939.tif 000002
【特許請求の範囲】
【請求項１】
布の端から、折山線を作り、その折山線の下部を縫い折山線を固定し、又、その折山線を縫い目で固定し定着させて布に質感を加味するようにしたふくふく手拭。
【請求項２】
布の一端からピンタック、又は、ギャザーにし、それを複数枚重ねて布に厚味と質感を加味するようにしたふくふく手拭。
【発明の詳細な説明】
【技術分野】
【０００１】  本発明は絹の本質を生かした手拭に関するものである。
【背景分野】
【０００２】  従来の手拭、タオル類では、絹の良さが適切に提供されていなかった。
【先行技術文献】
【０００３】
【特許文献１】特開２００６−１４１９１５号公報
【特許文献２】特開２００５−２７９１８９号公報
【０００４】
【非特許文献１】繊維の不思議と面白科学（ものづくり技術）
【非特許文献２】繊維便覧（繊維学会編）２００４．１２出版
【非特許文献３】月刊  茶の間２５年度版
【発明の概要】
【発明が解決しようとする課題】
【０００５】  現在、市販されているタオル・手拭類等は、編み上げによる繊維製品や合繊で編み上げにてアカスリ効果を求め、肌の角質を落とす機能が多く、肌の弱い人やアトピー性の人花粉症の人等あまり石鹸が使えない人には使いづらい商品も多かった。
【課題を解決するための手段】
【０００６】  本発明は編み上げ形式ではなく、着物の裏地として、多く使用されている主に羽二重生地を使って商品化したものである。
羽二重生地は、手触りも柔らかく、アトピー性の人やあまり石鹸の使用を控えている人にも優しい布である。繊維の構造が三角錐の形状でつながっているので、手拭として使用しても、その毛細管現象により、体内からの毒素を引き出す効果もあり、物理的にも汚れを取る作用がある。羽二重生地は、肌に柔らかく感触が良いが、一重で使用するとすぐにへたれが表れるので、連続して布幅一杯に折山を作り、縫い目をたたむように固定することにより布に厚みを出すようにした。一枚の布を任意の箇所で任意の数の折山を作り、縫い目で折山を固定し、布に厚味と質感を加味するようにし、上記課題を解決する。また、布を重ねてピンタック又はギャザーを作り、布に厚味と質感を加味する方法もある。
【発明の効果】
【０００７】  本発明は、肌の弱い人やアトピー性の人、体調により石鹸等を控えている人にも優しく、絹の毛細管現象に加え、排毒効果も期待でき、布の厚味感と質感で使用感もよく、あまり石鹸類を付けずにゆるゆると撫でるように体を洗っても余分な角質や皮脂なども取り除くことが期待できるが、その人の体質などにより差異がある。癒し系のふくふく手拭。
【図面の簡単な説明】
【０００８】
【図１】  作業態様を示す図
【図２】  作業中の工程を示す図
【図３】  ギャザーによる仕上り図
【符号の説明】
【０００９】  １  折山
２  縫い目
３  ふち布
４  ギャザー
５  ２枚の布を接続した図
【図１】
2015067939.tif 000003
【図２】
2015067939.tif 000004
【図３】
2015067939.tif 000005
(57)【要約】【課題】乳児は、体を支える力が無いのでベビーカーに乗せると体が安定ぜず、体を少しでも安定させるためにタオルなどを使用しても、安定する事が出来ず、また、公園のベンチなどで寝かす際には、乳児が寝がえりや後頭部を擦るのでベビーカーから下ろして休ませる事が出来なかった。【解決手段】  クッションの幅は、ベビーカーの幅に合わせ、略円柱形クッション上部に頭を挟みこむ膨らみを設け、下部に結合する為の係合部を設けた包み込みクッション部を平行に並べ、包み込みクッション部同士をつなぐ尻当て部は包み込みクッション部下方付近に橋状に設け、包み込みクッション部の裏側上部を伸縮素材にて連結部を設けた事を特徴とする包み込みクッション。【選択図】図１
2015067266.tif 000002
【特許請求の範囲】
【請求項１】
クッションの幅は、ベビーカーの幅に合わせ、略円柱形クッション上部に頭を挟みこむ膨らみを設け、下部に結合する為の係合部を設けた包み込みクッション部を平行に並べ、包み込みクッション部同士をつなぐ尻当て部は包み込みクッション部下方付近に橋状に設け、包み込みクッション部の裏側上部を伸縮素材にて連結部を設けた事を特徴とする包み込みクッション。
【発明の詳細な説明】
【技術分野】
【０００１】本発明は、クッションにて乳児の体を安定させる事が出来る包み込みクッションに関するものである。
【背景技術】
【０００２】  従来、乳児をベビーカーに乗せると体が安定しないため、乳児の両サイドにタオル等を添えていたが安定感が悪い為に体が変な格好になって寝ていた。また、公園などで一休みする際に、ベンチにタオルを掛けて乳児を寝かすと寝返り等で落ちそうになる為、親としては公園での一休みも一苦労である。
なお、チャイルドカーシート乃至ベビーカー用座布団用マットが知られている（特許文献１参照）。
ベビーカーに適合したクッションが知られている（特許文献２参照）。
【先行技術文献】
【特許文献】
【０００３】
【特許文献１】  登録実用新案第３０５５５１４号公報
【特許文献２】  特開２００７−０２２１２８号公報
【発明の概要】
【発明が解決しようとする課題】
【０００４】乳児は、体を支える力が無いのでベビーカーに乗せると体が安定せず、体を少しでも安定させるためにタオルなどを使用しても、安定する事が出来ず、また、公園のベンチなどで寝かす際には、乳児が寝がえりや後頭部を擦るのでベビーカーから下ろして休ませる事が出来なかった。
本発明は、以上の問題点を解決するためになされたものである。
【課題を解決するための手段】
【０００５】  クッションの幅は、ベビーカーの幅に合わせ、略円柱形クッション上部に頭を挟みこむ膨らみを設け、下部に結合する為の係合部を設けた包み込みクッション部を平行に並べ、包み込みクッション部同士をつなぐ尻当て部は包み込みクッション部下方付近に橋状に設け、包み込みクッション部の裏側上部を伸縮素材にて連結部を設ける。
以上の構造によりなる包み込みクッション。
【発明の効果】
【０００６】  ベビーカーで体を安定させてシートベルトを締める事が出来るので、安心してベビーカーに乗せる事が出来る。また、ベンチなどでも寝かしても頭から体全体を包んでくれるので乳児が転がったりしなくなるので、親も安心して寝かす事が出来る。
【図面の簡単な説明】
【０００７】
【図１】本発明の表図
【図２】断面図  （ａ）下付きの状態を示す。（ｂ）中付きの状態を示す。
【図３】本発明の裏図
【図４】シートベルトガイドを取り付けた時の図
【発明を実施するための形態】
【０００８】以下、本発明の実施の形態を説明する。
略円柱形クッションの上部に頭を挟みこむ膨らみを設け、下部に結合する為の係合部（５）を設けた物を包み込みクッション部（１）とし、それら２本を平行に並べる。
【０００９】  包み込みクッション部（１）同士をつなぐ為に下部付近にて、略円柱形の尻当て部（２）を橋状に設け、上部付近には、連結部（６）として、クッションの開き過ぎを防止する為の伸縮素材又は弾性素材を設ける。略円柱形の尻当て部（２）は、包み込みクッション部（１）よりも細くし、乳児の頭を乗せられる様に図２に示すように下付きに裏に沿って取り付けたり、中付きに中心付近に取り付け、係合部（５）を締めた時に乳児の首支えとして利用する。包み込みクッションの幅は、ベビーカーの幅に合わせ尻当て部（２）の中心を基準に上部を長手部（８）とし、下部を短手部（９）と分ける。長手部（８）側は乳児用乗り物シートに乗せる際に乳児の体を安定させる為に使用し、短手部（９）側はベンチ等の平らな場所で乳児を寝かせた場合に体が転がって行かない様に安定させる為に使用する。
【００１０】  包み込みクッション部（１）の長手部（８）の内側は、尻当て部（２）から、肩までの位置を腰当て部（３）とする。腰当て部（３）と頭当て部（４）の間に凹み部（７）を設ける事で頭当て部（４）がベビーカーのシート脇に押され、凹み部（７）から曲がる事で頭を支え、腰当て部（３）も内側に押される事で体全体が安定する。
短手部（９）は、係合部（５）を繋ぎ合せる事で枕となり頭を包み込み、腰当て部（３）で乳児の体を支える。この際に頭当て部（４）が開きすぎるのを防止するために連結部（６）を設け、体を安定させる。
【００１１】  クッションの材質は、空気で膨らませる事が出来るエアクッションやクッションとして利用する事が出来るの綿やビーズを利用することもできる。
包み込みクッション部（１）の係合部（５）に関しては、ボタンやフックを利用した物や面ファスナーなどを代用品として使用する事が出来る。
【００１２】使用は乳児時期だけでなく、全年齢で首枕や枕として利用する事ができる。
包み込みクッション部（１）の外側に凹凸を付けた場合には、乳児用乗り物シートのシートベルトをシートベルトガイド部（１０）として利用する事が出来る。
【符号の説明】
【００１３】１包み込みクッション部、２尻当て部、３腰当て部、４頭当て部、５係合部、６連結部、７凹み部、８長手部、９短手部、１０シートベルトガイド、
【図１】
2015067266.tif 000003
【図２】
2015067266.tif 000004
【図３】
2015067266.tif 000005
【図４】
2015067266.tif 000006
(57)【要約】【課題】  本発明は、ピンズ式の装身具の装飾品を装着したときに発生するピンズによるピン跡に代えて、ピンズ式装身具用のピンズ用の孔を予め作る。  このピンズ用の孔に目隠しを施すピンズ式の装身具用の隠しピン用孔を提供する。【解決手段】  ワイシャツの襟（１）に、目隠し専用のピンズ用の孔（２）を設け、ピンズ用の孔（２）の位置にミシン刺繍（３）を設けたことを特徴とする。【選択図】図１
2015057521.tif 000002
【特許請求の範囲】
【請求項１】
ワイシャツの襟（１）に、目隠し専用のピンズ用の孔（２）を設け、ピンズ用の孔（２）の位置にミシン刺繍（３）を設けたことを特徴とするシャツ襟に付けるピンズ式の装身具用の隠しピンズ用の孔。
【発明の詳細な説明】
【技術分野】
【０００１】  本発明は、ピンズ式の装身具の装飾品を装着したときに発生するピンズによるピン跡に代えて、ピンズ式装身具用のピンズ用の孔を予め作る。
このピンズ用の孔に目隠しを施すピンズ式の装身具用の隠しピン用孔に関するものである。
【背景技術】
【０００２】  クールビズの季節に入ると、襟元の開放感と引き替えに、男性の胸元を飾る唯一のファッションであるネクタイを締めたときの凛々しさや華やかさが失われてしまった。
本発明は、襟元の開放感は、そのままで、ワイシャツの襟にピンズ式の装飾品でアクセントを付け、爽やかなファッションを呼び戻すためのものである。
【先行技術文献】
【特許文献】
【０００３】
【特許文献１】  実開平５−９６００１号公報
【発明の概要】
【発明が解決しようとする課題】
【０００４】（イ）ピンズ式の装飾品を装着するとピン跡が残る。
（ロ）小さなピン跡でも以外と目立ちやすい。
（ハ）装飾品のピンを同じ場所に刺すことは難しい。
（ニ）使用回数が増える毎に、ピン跡も増え、襟生地自体へのダメージが大きくなる。
（ホ）大きくなったピン跡のためワイシャツの使用が不可能となる。
本発明は、以上の問題点を解決しようとするものである。
ピンズ式の装飾品をそのままで使った場合、襟生地にピン跡が残る。
【課題を解決するための手段】
【０００５】  ワイシャツの襟（１）に、目隠し専用のピンズ用の孔（２）を設け、ピンズ用の孔（２）の位置にミシン刺繍（３）を設ける。
以上のように構成されたシャツ襟に付けるピンズ式の装身具用の隠しピンズ用の孔。
【発明の効果】
【０００６】  本発明は、ワイシャツの襟に専用のピンズ用の孔を設けることにより、ワイシャツの襟にピンズ式の装飾品が使い易くなり、着用する人自身の手でＴＰＯに応じての雰囲気作りや遊び心の演出の自由度は大きく増す。
【図面の簡単な説明】
【０００７】
【図１】  本発明の構成を示した説明図である。
【発明を実施するための形態】
【０００８】  以下、本発明の実施の形態を説明する。
（イ）ワイシャツの襟（１）のピンズ式の装飾品（４）を刺そうとするポジションに、装    飾品より一回り小さなサイズのミシン刺繍（３）を施す。
（ロ）次に、直径１ミリ程度の小さなピンズ用の孔（２）を目打ちする。
目打ちとは、ハトメ処理などの生地自体を孔状に切るのではなく、生地の紡糸と紡    糸との間を押し広げるものである。
（ハ）ピンズ用の孔（２）の上に施すミシン刺繍（３）は、目立たない同系色、目立つ色    彩や様々な模様が考えられる。
（ニ）ミシン刺繍（３）の糸は、刺したピンにより切断でなく逃げる動きをするため刺繍    の原型を保つ。
経年により刺繍の糸が切れても、ピンズ用の孔（２）の上の小範囲でとどまる。
ピンズ式の装飾品（４）をそのままで使った場合、襟生地にピン跡が残る。
傷跡が残るなら、予め目隠した専用のピンズ用の孔（２）を設ける。
まず、ピンズ用の孔（２）の位置にミシン刺繍（３）を施す。
次に直径１ミリ程度の小さなピンズ用の孔（２）を目打ちする。
この目隠しをしたピンズ用の孔（２）を利用すれば、ピンズ式の装飾品（４）のピン刺しは、一定のポイントに刺せ、襟生地へのダメージ範囲を限定できる。
以上を特徴とするワイシャツの襟（１）に付けるピンズ式の装身具用の隠しピンズ用の孔である。
【符号の説明】
【０００９】１  ワイシャツの襟
２  ピンズ用の孔
３  ミシン刺繍
４  ピンズ式の装飾品
【図１】
2015057521.tif 000003
(57)【要約】【課題】エレベータや車両の運動に関連して効率的な発電を可能とするエレベータ又は車両用発電システムを提供することである。【解決手段】エレベータの釣合おもりの上端に設置され、巻上機を経たロープが掛けられた滑車（３２）と、滑車に隣接して配置された発電機（３４）とを備え、エレベータかごの昇降に伴い回転する滑車の回転力を前記発電機に伝達することによって、発電を行うように構成されていることを特徴とするエレベータ用発電システム（３０）が提供される。【選択図】図１
2015057945.tif 000002
【特許請求の範囲】
【請求項１】
エレベータの釣合おもりの上端に設置され、巻上機を経たロープが掛けられた滑車と、前記滑車に隣接して配置された発電機とを備え、
エレベータかごの昇降に伴い回転する前記滑車の回転力を前記発電機に伝達することによって、発電を行うように構成されていることを特徴とするエレベータ用発電システム。
【請求項２】
車両の駆動車軸の端部に配置された発電機を備え、
前記駆動車軸の回転に伴う回転力を前記発電機に伝達することによって、発電を行うように構成されていることを特徴とする車両用発電システム。
【発明の詳細な説明】
【技術分野】
【０００１】
本発明は、エレベータ又は車両用発電システムに関する。
【背景技術】
【０００２】
発電を行うに際して、水力、火力、風力等のエネルギーを利用する種々のシステムが開発・提案されているが、従来の発電システムにおいては、単一の発電機によって発電される方式が通常である。また、これらの発電システムは、単一の発電機を固定設置しているものが大半である。
【発明の開示】
【発明が解決しようとする課題】
【０００３】
本発明は、エレベータや車両の運動に関連して効率的な発電を可能とするエレベータ又は車両用発電システムを提供することを目的としている。
【課題を解決するための手段】
【０００４】
本願請求項１に記載のエレベータ用発電システムは、エレベータの釣合おもりの上端に設置され、巻上機を経たロープが掛けられた滑車と、前記滑車に隣接して配置された発電機とを備え、エレベータかごの昇降に伴い回転する前記滑車の回転力を前記発電機に伝達することによって、発電を行うように構成されていることを特徴とするものである。
【０００５】
本願請求項２に記載の車両用発電システムは、車両の駆動車軸の端部に配置された発電機を備え、前記駆動車軸の回転に伴う回転力を前記発電機に伝達することによって、発電を行うように構成されていることを特徴とするものである。
【発明の効果】
【０００６】
本発明のエレベータ又は車両用発電システムによれば、エレベータの昇降に伴う回転力や車両の駆動車の回転力を利用することにより、効率的な発電を行うことができる。
【図面の簡単な説明】
【０００７】
【図１】本発明の第１の実施の形態に係るエレベータ用発電システムを示した斜視図である。
【図２】本発明の第１の実施の形態に係るエレベータ用発電システムの作動の概念を示した模式図である。
【図３】図３（ａ）は、本発明の第２の実施の形態に係る車両用発電システムを模式的に示した分解斜視図、図３（ｂ）は、図３（ａ）の主要部の拡大図である。
【発明を実施するための最良の形態】
【０００８】
次に図面を参照して、本発明の好ましい実施の形態に係るエレベータ又は車両用発電システムについて詳細に説明する。図１は、本発明の好ましい実施の形態に係るエレベータ用発電システムを示した全体斜視図である。図１において全体として参照符号３０で示される本発明の好ましい実施の形態に係るエレベータ用発電システムは、エレベータの昇降運動を利用したものである。
【０００９】
エレベータ用発電システム３０について図２を参照してより詳細に説明する。図２において、エレベータかごは、かごガイドレールに沿って昇降するようになっており、釣合おもりは、釣合おもりガイドレールに沿って昇降するようになっている。また、釣合おもりの上端には、滑車３２が設置されている。一端がエレベータかごを経て昇降路上端に取り付けられたロープが、巻上機および滑車３２を経て、釣合おもりガイドレールの上端に取り付けられている。エレベータ用発電システム３０は、滑車３２に隣接して配置された発電機３４を備えており、エレベータの昇降時に回転する滑車３２の回転力がシャフト３６を介して発電機３４に伝達されるようになっている。なお、発電機３４は、通常の型式のものを使用してよい。
【００１０】
エレベータの作動に際して、巻上機を作動させるとロープが移動するとともに、ロープの移動に伴い滑車３２が回転する。滑車３２の回転がシャフト３６を介して発電機３４に伝達され、発電されるようになっている。
【００１１】
図２は、エレベータ用発電システム３０の作動の概念を示した模式図である。図２（ａ）は、図１に示すように巻上機が昇降路の上部に配置されている型式を示しており、図２（ｂ）は、巻上機が昇降路の下部に配置されている型式を示している。図２（ｂ）に示される型式であっても、同様に、釣合おもりの上端に設置された滑車３２の回転がシャフト３６を介して発電機３４に伝達されるようになっている。
【００１２】
次に、本発明の好ましい実施の形態に係る車両用発電システムについて説明する。図３は、本発明の好ましい実施の形態に係る車両用発電システムを示した分解斜視図である。図３において全体として参照符号４０で示される本発明の好ましい実施の形態に係る車両用発電システムは、車両の駆動車軸の回転運動を利用したものである。
【００１３】
車両用発電システム４０について図３を参照してより詳細に説明する。図３に示されるように、車両の駆動車軸の端部に、シャフト４４を介して発電機４２が配置されており、駆動車軸の回転に伴う回転力がシャフト４４を介して発電機４２に伝達され、発電が行われるようになっている。なお、発電機４２は、通常の型式のものを使用してよい。
【００１４】
いまタイヤ径を６５０ｍｍとし、デフギア比を１／１０と仮定すると、時速４０ｋｍ／時、６０ｋｍ／時のデフ回転数Ｎ（４０）、Ｎ（６０）は、それぞれ下記の通りとなる。
Ｎ（４０）＝（40000/(0.65×π×60）)×10＝3265rpm
Ｎ（６０）＝（40000/(0.65×π×60）)×10＝4898rpm
これらの回転が発電機４２に伝達され、発電が行われることとなる。
【００１５】
本発明は、以上の発明の実施の形態に限定されることなく、特許請求の範囲に記載された発明の範囲内で、種々の変更が可能であり、それらも本発明の範囲内に包含されるものであることはいうまでもない。
【符号の説明】
【００１６】
３０ エレベータ用発電システム
３２ 滑車
３４ 発電機
３６ シャフト
４０ 車両用発電システム
４２ 発電機
４４ シャフト
【図１】
2015057945.tif 000003
【図２】
2015057945.tif 000004
【図３】
2015057945.tif 000005
(57)【要約】【課題】筆記具を正しく持つことはなかなか難しく、小さい時からの持ち方のくせは直したくてもなかなか直すことがむずかしい。又、正しくない持ち方は指に力が入って、実は字がたいへん書きにくく見た目にもよくない。本発明は、簡単に正しく筆記具が持てるようになるための筆記具支持の補助具を提供するものである。【解決手段】書き方の本にあるような正しい持ち方で筆記具をひとさし指と中指にはさみ、ひとさし指と筆記具をこの補助具によって巻くことにより正しい持ち方の形が簡単に維持出来るようになり、筆記具が指から離れない為装着しなおす手間が少なくなり子供にも簡単に扱うことができることを特徴とする筆記具支持の補助具。【選択図】図２
2015057313.tif 000002
【特許請求の範囲】
円筒形で断面はうずまき形状の筆記具支持の補助具
【発明の詳細な説明】
【技術分野】
【０００１】本発明は筆記具を持ちやすくするための補助器具に関するものである
【背景技術】
【０００２】筆記具はどのように持っても書くことはできるが、持ち方によって変な力が入って気がつかないがとても疲れやすく書きにくく、又、見た目にもよくない。
特に最近若い人の中に筆記具がきちんと持てない人が増えている。
【発明の概要】
【発明が解決しようとする課題】
【０００３】筆記具を持つ時に正しくない持ち方で持っても簡単に字はかけてしまう。
でも正しい持ち方をしていないと、実は書きにくくて疲れやすく、また見た格好も良くない。
本発明は以上の問題点を解決するためのものである。
【問題を解決するための手段】
【０００４】ひとさし指に筆記具をそわせて巻きつけるようにするために、正しい形で筆記具をもち、ひとさし指と筆記具を断面がうずまき状の巻き具によって巻くことにより筆記具を正しい位置関係のところに固定する。
以上の構成よりなる筆記具支持の補助具。
【発明の効果】
【０００５】正しい形で持ちにくい筆記具が本発明により簡単に正しい形で持つことができるようになる。また体感できる正しい形でもつ事が書きやすいということが、クセのある持ち方を直していくのに役に立つ。
他簡単に装着できるので小さな子供にもたいへん扱いやすい。
本発明は筆記具だけでなく正しい箸の持ち方に導く補助具にもなる。
【図面の簡単な説明】
【０００６】
【図１】本発明の斜視図
【図２】本発明の使用状態を示す図
【発明を実施するための形態】
【０００７】以下本発明の実施の形態を説明する。
（イ）円筒形で断面はうずまき状の巻き具である。
本発明は以上のような構造である。
本発明を使用する時は、書き方の本にあるような正しい形で筆記具を持ち、ひとさし指と筆記具を一緒に断面がうずまき形状の巻き具で巻く。材質は特定しないが筆記具が固定される為にひとさし指と筆記具の正しい位置が保持でき、正しい筆記具の持ちやすさが簡単に体感でき、これを使用することにより持ち方のクセがつかずに楽に正しく持てるようになる。また非常に単純な形なので、小さな子供にも簡単に装着できるようになる。
【符号の説明】
【０００８】１．巻き部
【図１】
2015057313.tif 000003
【図２】
2015057313.tif 000004
(57)【要約】【課題】  ガラ袋は建築工事現場においてゴミ袋として一般的に用いられているが、ゴミを投入する際にガラ袋の口をいちいち開かなければならならず、作業効率を低下させるものである。本発明は、ガラ袋のもつ欠点を改善し、現場の作業効率の向上を目的とするものである。【解決手段】  弾性を有する薄板であり、筒状にまるめて、ガラ袋に入れ、円筒形の箱を形成させ自立させる、ガラ袋保持スタンド。【選択図】図１
2015057359.tif 000002
【特許請求の範囲】
【請求項１】
弾性を有する薄板の角に面取りをもうけ、二カ所の取っ手を設けたガラ袋保持スタンド。
【発明の詳細な説明】
【技術分野】
【０００１】  本発明は、建築工事現場等においてゴミ袋として広く一般的に使用されるポリプロピレン製のガラ袋に取り付け、これを自立、および、開口部を保持させ、ゴミ収容容器として使用する、ガラ袋保持スタンドに関するものである。
【背景技術】
【０００２】  ガラ袋にゴミを投入する場合、その都度ガラ袋の口を手で開き、開口を保持させながらゴミを投入する。
また、床面に平らに置いて使用する事がほとんどである。
【先行技術文献】
【０００３】
【特許文献１】  特開２００４−９１２１０号公報
【特許文献２】  特開平１０−５９５０５号公報
【特許文献３】  特開２００５−１５１６１号公報
【特許文献４】  特開２００３−３２７３０１号公報
【発明の概要】
【発明が解決しようとする課題】
【０００４】  ガラ袋にゴミを投入する際、いちいち床面近くまで手を伸ばしてガラ袋の口を開け、かつ保持させねばならず、ゆえに片手がふさがるので、作業効率の低下につながるものである。
また、ガラ袋が床面に置いてある状態では口が閉じているので中が見えないため、ゴミの分別回収においても支障をきたすものである。
【課題を解決するための手段】
【０００５】  弾性を有する薄板であり、筒状にまるめて、ガラ袋に入れ、円筒形の箱を形成させ自立させる、ガラ袋保持スタンド。
【発明の効果】
【０００６】  ガラ袋を任意の場所に自立させることができ、袋の口を開ける手間から開放され、両手でゴミを投入できるので、作業効率の向上を望めるものである。
中がよく見えるので、ガラ袋の複数個使用による分別回収を容易にするものでもある。
【図面の簡単な説明】
【０００７】
【図１】  本発明の斜視図である。
【図２】  本発明の使用状態を示した斜視図である。
【発明を実施するための形態】
【０００８】  以下、本発明の実施の形態を説明する。
（イ）弾性を有する長方形の薄板（１）である。
（ロ）角に丸面取り（２）が施されている。
（ハ）長辺側の一辺に、だ円の開口による二カ所の取っ手（３）が設けられている。
本発明は以上のような構造である。
本発明を使用するときは、これを丸めて筒状にしてガラ袋（４）に挿入する。
このとき、二カ所の取っ手がガラ袋の開口側、すなわち上部にくるように挿入されるものとする。
素材の弾性により丸められた薄板が平らに戻ろうとする力でガラ袋の内面に押し付けられ、ガラ袋がずり落ちることなく円筒形の箱を形成、自立させる。
自立させた状態において、二カ所の取っ手は対をなしており、ガラ袋の上端部とからめて手でつかむことにより、小運搬が可能である。
ゴミがいっぱいになったら、本発明品を引き抜き、繰り返し使用できる。
【符号の説明】
【０００９】１  薄板
２  丸面取り
３  取っ手
４  ガラ袋
【図１】
2015057359.tif 000003
【図２】
2015057359.tif 000004
(57)【要約】      （修正有）【課題】電気エネルギーの供給を必要とするモーターとは異なり、磁石からの磁力のみを活用することによって動力を発生させる磁力モータを提供する。【解決手段】磁力モーターは、強力な磁石のＳ極及びＮ極からの界面における磁力の吸引及び反発力を応用して、全回転運動力を中心同軸シャフトに集中させる。使用する磁石や、部材の材質の改良や選定を行う。尚、初期の始動制御については、手動及びバッテリーを採用する。【選択図】図２
2015057034.tif 000002
【特許請求の範囲】
【請求項１】
本磁力モーターは、強力な磁石の吸引及び反発力を応用し、回転運動による動力源を発生させる。
【発明の詳細な説明】
【技術分野】
【０００１】  本磁力モーターは、強力な磁石のＳ極及びＮ極からの界面における磁力の吸引及び反発力を応用して、全回転運動力を中心同軸シャフトに集中させる方法で動力源として活用する。
【背景技術】
【０００２】  本特許出願者の発明背景には、既存の科学技術を新しく創出した物理科学体系がある。従来は電気により磁力を発生させて、電磁気モーターを発展させてきた。しかし、磁石そのものを応用し完成させた磁力モーターは実現されていない。
【発明の開示】
【０００３】  本発明は、従来の電気エネルギーの供給を必要とするモーターとは異なり、磁石からの磁力のみを活用することによって動力源を発生させることができる。
【発明の効果】
【０００４】  本発明の効果は、磁力を活用することにより、エネルギーの供給を続ける事なく初期始動のみで動力源を発生させる事が出来るので発電システムなどに活用し、社会の発展に貢献する。
【発明を実現するための最良の形態】
【０００５】  本発明の最良の形態は、磁力モーターの中心軸から回転するギアによって、８ヶ所に反発作用を発生させるための磁石を回転させ、同時に側面に動力を生む３７ヶ所の吸引及び反発作用を起こさせるための磁石を配列し、さらに外側には１６ヶ所に磁石を設置し同時に回転しながら、反発力をバランスよく中心同軸シャフトに集中させ、全回転運動力を増大させるシステムである。
【実施例】
【０００６】  現在までの実施例として、本発明と同等のシステムを採用した動力源は、社会に活用されていない。
【産業上の利用可能性】
【０００７】  産業上の利用可能性については、現在の科学技術の最も必要とする分野であり、エネルギー、環境問題の解決に役立つことになる。
【図面の簡単な説明】
【０００８】
【図１】  磁力モーター  平面合成図
【図２】  磁力モーター  立面合成図
【符号の説明】
【０００９】［図１］
１、外側磁石受け
２、外側磁石
３、側面磁石
４、反発作用磁石
５、反発作用回転シャフト
６、伝達ギア
７、伝達ギアシャフト
８、中心軸シャフト
［図２］
１、安全カバー
２、外側磁石受け
３、側面磁石受け
４、各磁石Ｎ・Ｓ
５、反発作用回転軸
６、回転軸シャフト
７、回転シャフト受け
８、中心軸伝達ギア
９、回転軸シャフト
１０、中心軸ギア及び同軸シャフト
１１、全軸受け
１２、動力軸受けパイプ
１３、回転動力取り出し箇所
【図１】
2015057034.tif 000003
【図２】
2015057034.tif 000004
(57)【要約】【課題】  本発明は、マグネット付装飾品とマグネット付留具の２ピースで構成し、それぞれをワイシャツの襟の表裏に配置し、２ピース間に発生する磁力の吸引作用を利用したワイシャツの襟に着けるマグネット付装身具を提供する。【解決手段】  留具（Ａ）は、円板を半折れにした形のもので、上プレート（１）と下プレート（２）の間にヒンジ（５）を設け、上プレート（１）の裏面に止め針（３）を設け、下プレート（２）の裏面にマグネット（４）とチェーン用孔（６）を設けたことを特徴とする襟に着けるマグネット付き装身具。【選択図】図１
2015057083.tif 000002
【特許請求の範囲】
【請求項１】
留具（Ａ）は、円板を半折れにした形のもので、上プレート（１）と下プレート（２）の間にヒンジ（５）を設け、上プレート（１）の裏面に止め針（３）を設け、下プレート（２）の裏面にマグネット（４）とチェーン用孔（６）を設けたことを特徴とする襟に着けるマグネット付き装身具。
【発明の詳細な説明】
【技術分野】
【０００１】  本発明は、マグネット付装飾品とマグネット付留具の２ピースで構成し、それぞれをワイシャツの襟の表裏に配置し、２ピース間に発生する磁力の吸引作用を利用したワイシャツの襟に着けるマグネット付き装身具に関するものである。
【背景技術】
【０００２】  クールビズの季節に入ると、襟元の開放感と引き替えに、男性の胸元を飾る唯一のファッションであるネクタイを締めたときの凛々しさや華やかさが失われてしまった。
本発明は、襟元の開放感は、そのままで、ワイシャツの襟にワンポィントのアクセントを付け、爽やかなファッションを呼び戻すためのものである。
【先行技術文献】
【特許文献】
【０００３】
【特許文献１】  特開２００９−２１３８０９号公報
【特許文献２】  特開２００７−３１９２０号公報
【特許文献３】  特開２００６−６４５２号公報
【発明の概要】
【発明が解決しようとする課題】
【０００４】  次のような問題点がある。
（イ）クールビズ用として、柄付きカラーシャツやステッチ付きワイシャツ、あるいは、    ボタンホール付きワイシャツと多様化してきているが、ワイシャツそのものがアクセ    ントなので固定されてしまうため可変性がない。
（ロ）ファッションに供するところは、襟の部分だけが残った。
（ハ）ワイシャツの襟に着ける装身具は見当たらない。
（ニ）着用する人自身の手で、ＴＰＯ（Ｔｉｍｅ  Ｐｌａｃｅ  ａｎｄ  Ｏｃｃａｓｉｏ    ｎ）に応じたアクセントを付けたいが、その要望を満たす装身具がない。
本発明は、以上の問題点を解決しようとするものである。
【課題を解決するための手段】
【０００５】  留具（Ａ）は、円板を半折れにした形のもので、上プレート（１）と下プレート（２）の間にヒンジ（５）を設け、上プレート（１）の裏面に止め針（３）を設け、下プレート（２）の裏面にマグネット（４）とチェーン用孔（６）を設けたことを特徴とする襟に着けるマグネット付き装身具。
【発明の効果】
【０００６】  本発明は、着用する人自身の手でＴＰＯに応じ、いろいろな装飾品を自由に選択付替えることができ、爽やかな、あるいは、ゴージャスな雰囲気創り、または、遊び心の演出などを行うものである。
【図面の簡単な説明】
【０００７】
【図１】（ａ）本発明の留具の構造の説明図である。［図１］（ｂ）本発明の留具の構造の説明図である。［図１］（ｃ）本発明の留具の構造の説明図である。
【図２】（ａ）本発明の留具と装飾品との装着状態を示した説明図である。［図２］（ｂ）本発明の留具と装飾品との装着状態を示した説明図である。［図２］（ｃ）本発明の留具と装飾品との装着状態を示した説明図である。
【発明を実施するための形態】
【０００８】  以下、本発明の実施の形態を説明する。
留具（Ａ）は、円板を半折れにした形のもので、上プレート（１）と下プレート（２）の間にヒンジ（５）を設け、上プレート（１）の裏面に止め針（３）を設け、下プレート（２）の裏面にマグネット（４）とチェーン用孔（６）を設ける。
本発明は、以上のように構成された襟に着けるマグネット付き装身具である。
本発明の詳しい実施例と使い方を説明する。
（イ）本発明の留具（Ａ）は、円板を半折れにした形のもので、止め針（３）の付いた上    プレート（１）とマグネット（４）付きの下プレート（２）をヒンジ（５）で繋いで    いる。
（ロ）半折れにした事由は、下プレート（２）を折ることにより、上プレート（１）に付    いている止め針（３）に折角が生まれワイシャツの襟（Ｂ）の裏生地（８）に刺し易    くするためのものである。
（ハ）上プレート（１）に付いている止め針（３）が１本の場合は、止め針を刺した所を    中心に留具（Ａ）が廻り、不安定である。
その解決法として、２本針方式を採用した。
（ニ）留具（Ａ）をワイシャツの襟（Ｂ）の裏生地（８）に装着した後、マグネット（１    １）の付いた装飾品（Ｃ）をワイシャツの襟（Ｂ）の表側（７）に近づける。
留具（Ａ）のマグネット（４）と装飾品のマグネット（１１）の間に磁力による吸    引作用が生じ、装飾品（Ｃ）が襟の表側（７）に吸着される。
さらに、２本の止め針（３）の間隔を装飾品のマグネット（１１）の直径より大き    目に取ることにより、留具のマグネット（４）と装飾品のマグネット（１１）の間に    止め針による段差などないようにして、装飾品（Ｃ）の装着の安定性を高めた。
（ホ）装飾品（Ｃ）と留具（Ａ）に付けるマグネットには、吸引作用に適した極のものを    選ぶ。
（ヘ）万が一、装飾品（Ｃ）が襟から外れた場合の対策として、装飾品（Ｃ）と留具（Ａ    ）の間をチェーンで繋ぎ留める。
そのために、それぞれにチェーン用孔（６）と（１２）を設ける。
半折れ型留具の上プレートに付いている止め針でワイシャツの襟の裏生地に装着固定する。
次いで、襟表側にマグネット付装飾品を近づけることにより、装着済み留具の下プレートに付いているマグネットとの間で磁力の吸引作用が生じ、装飾品は襟表側に吸着される。
【符号の説明】
【０００９】Ａ  留具
１  上プレート
２  下プレート
３  止め針
４  マグネット
５  ヒンジ
６  チェーン用孔
Ｂ  ワイシャツ襟生地の部
７  表生地、または、表側
８  裏生地、または、裏側
９  芯生地
１０  ステッチ
Ｃ  装飾品
１１  マグネット
１２  チェーン用孔
【図１】
2015057083.tif 000003
【図２】
2015057083.tif 000004
(57)【要約】【課題】これまでの携帯電話では視覚不能だった部分を本発明方向自在カメラで認識して、必要と思われる箇所を写真撮影したり動画撮影したりできることを可能とする技術を実現して提供する。【解決手段】既に実用化されているＣＣＤカメラ１を用いて方向自在カメラを作成し、方向自在カメラと携帯電話３本体とを、映像信号線と電源線により構成したリード線２で、コネクタープラグ４を通して携帯電話３に付属したソケット５に接続し、携帯電話３本体のディスプレーを見ながら、最適の映像を撮影し、または最適の動画を撮影できるようにした方向自在カメラを提供することにより上記課題を実現する。【選択図】図１
2015211458.tif 000002
【特許請求の範囲】
【請求項１】
ＣＣＤカメラ１と、ＣＣＤカメラ１と携帯電話３本体とを結ぶ映像信号線と電源線を一体化したリード線２と、リード線２を携帯電話３に連結させるコネクタープラグ４と、携帯電話側にコネクタープラグ４を接続するソケット５をもった方向自在カメラ。
【発明の詳細な説明】
【技術分野】
【０００１】本発明は従来の携帯電話３に取り付けた全方向を自在に見ることのできる方向自在カメラに関する。
【背景技術】
【０００２】現在、多くの人が携帯電話３を所持している。携帯電話３にはカメラが付属していて、そのカメラで写真や動画をとることができるようになっている。しかし付属カメラは方向が固定されているため、携帯電話３を向けた方向しかカメラを向けることができない。【０００３】本発明は、このカメラを方向自在に全方向に向けることができるようにするために、ＣＣＤカメラ１に映像信号線と電源線を合体したリード線２を付け、カメラをどの方向にも向けることができるようにした方向自在カメラに関するものである。【０００４】本発明方向自在カメラは、ＣＣＤカメラ１と、ＣＣＤカメラ１と携帯電話３本体を結ぶリード線２から成り、携帯電話３本体にコネクタープラグ４を介してソケット５に接続し、ＣＣＤカメラ１を全方向に自在に向けることができるようにしたものである。必要であればリード線２の中に照明用電源も追加し、方向自在カメラを証明付きにすることもできる。【０００５】携帯電話メーカーは既にＣＣＤカメラ１等の技術をもっているので、本発明には何ら新しい技術は必要としない。現在カメラに固定されているカメラ部分と並行して、別途方向自在カメラを携帯電話３と同時に使用可能なようにソケット５を併設し、自分の見たい方向にリード線２の先端に付いた方向自在カメラを手で動かし、そのカメラのリード線２を通して携帯電話に付属している画面上に撮影部分を映し出し、必要ならばその部分を撮影することができる。【０００６】携帯電話３のカメラ映像を示すディスプレーは、方向自在カメラにより自分の見たい部分を表示する機能を持たせたせてあるので、ディスプレーを見ながら自由に写真撮影、動画撮影をすることができる。
【発明の概要】
【０００７】本発明は従来固定式だった携帯電話用カメラを、併設したソケット５とコネクタープラグ４を接続して、リード線２先端の方向自在カメラで必要部署を撮影することができるように新しいカメラを併設したものであり、全く新しい技術を必要とすることなく、従来の固定カメラに併設した方向自在カメラである。
【発明が解決しようとする課題】
【０００８】本発明は従来のカメラ付き携帯電話３に、方向自在カメラを併設して保持したものであり、従来一方向しか見ることの出来ないカメラに併設して、方向自在カメラにリード線２をつけて全方向を観察、撮影ができるようにしたものである。
【発明を解決するための手段】
【０００９】本発明は方向自在カメラ部分と、カメラの映像信号を携帯電話３本体に送る映像信号線と、カメラ本体に電源を送る電源線からなるリード線２を付属し、リード線２先端のコネクタープラグ４を携帯電話本体に設けたソケット５に差し込むことにより、携帯電話３本体と一体となって使用することのできる手段を持った方向自在カメラである。
【発明の効果】
【００１０】本発明は、目の届かない、頭頂部、後頭部、背中、股下、口の中、尻の部分などに方向自在カメラを向けて簡単に視認確認し撮影することができる方向自在カメラで、従来の携帯電話３の使用効率を更に上げるものである。
【発明を実施するための形態】
【００１１】本発明はすでに実用化しているＣＣＤカメラ１と、映像信号線、電源線によるリード線２を接続したものであり、リード線先端にもうけたコネクタープラグ４を携帯電話側面に設けたソケット５に差し込むだけで、本発明方向自在カメラを使用可能にするものである。本発明方向自在カメラは携帯電話だけでなくスマートフォーン、パソコンなどにも同様に使用することができる。
【図面の簡単な説明】
【００１２】
【図１】携帯電話に取り付けようとする本発明方向自在カメラ。
【符号の説明】
【００１３】１            ＣＣＤカメラ
２            映像信号線、電源線をふくむリード線
３            携帯電話
４            コネクタープラグ
５            ソケット
１，２，４    方向自在カメラ
【図１】
2015211458.tif 000003
(57)【要約】      （修正有）【課題】場所を選ばず簡単にいつでもどこにでも使用できて、ペットが直接触れても安全に暖をとることができる簡易暖房用補助袋を提供する。【解決手段】袋本体部に使い捨てカイロなどの暖房具を入れて閉じるために、袋本体部の開口部にチャックやテープなどの止め具を設け、袋本体部の表面の両面、又は片面に空気口として小穴を複数箇所に開ける。また、この袋本体部に後から固定具を付属できるように、予め小穴部に一箇所ないし数箇所の穴を開けておくか、または、その小穴部にひも、針金、リングなどの固定具を付属させておく。または、袋本体部の片面にシール部を設けるなどをして飼育カゴなどに袋本体部を固定して使用できる構造を特徴とした簡易暖房用補助袋。【選択図】図１
2015211815.tif 000002
【特許請求の範囲】
【請求項１】
使い捨てカイロなどの暖房具などを入れて閉じるために、袋本体部の開口部にチャックやテープなどの止め具を設け、袋本体部の表面の両面、又は片面に空気口として小穴を複数個所設けた構造を特徴とする簡易暖房用補助袋。
【請求項２】
袋本体部に後から固定具を付属できるように予め小穴部に一箇所ないし数箇所の穴を開けておく、または、その小穴部にひも、針金、リングなどの固定具を付属させる、または、袋の片面にシール部を設けるなどをして飼育カゴに袋本体部を固定できる機能を加えた請求項１の簡易暖房用補助袋。
【発明の詳細な説明】
【技術分野】
【０００１】  本発明は、小動物やペットの暖房具に関するものである。
【背景技術】
【０００２】  小動物や鳥のひな等のペット用暖房機具として、保温電球や電気マットなどのヒーターが一般的に知られている。また、暖房機具の代用として使い捨てカイロを飼育カゴの底に敷く、または、使い捨てカイロを飼育カゴに貼り付けていたことが知られている。
【発明の概要】
【発明が解決しようとする課題】
【０００３】  従来のペット用暖房機具は、保温電球や電気マットなど電気を使用できる場所でなければ使えなかった。また、使い捨てカイロを利用すれば場所を選ばずにどこにでも使用できるが、これまでは使い捨てカイロを飼育カゴの下に敷く、貼るなどして間接的に使用していたが、使用する場所を選ばずとも簡単にいつでもどこにでも使用ができて、尚且つ、ペットが直接触れても安全に暖をとれるようなものは、あまり知られていない。
本発明は、以上の問題点を解決するためになされたものである。
【課題を解決するための手段】
【０００４】  本発明品は、使い捨てカイロなどの暖房具を入れて閉じるために、袋本体部の開口部にチャックやテープなどの止め具を設け、袋本体部の表面の両面、又は片面に空気口として小穴を複数箇所開ける。また、この袋本体部に後から固定具を付属できるように、予め小穴部に一箇所ないし数箇所の穴を開けておくか、または、その小穴部にひも、針金、リングなどの固定具を付属させる。または、袋本体部の片面にシール部を設けるなどをして飼育カゴなどに固定して使用できるようにする。
以上の構成よりなる簡易暖房用補助袋。
【発明の効果】
【０００５】  本発明品は、電気の使えない場所であっても、いつでもどのような所にでも使う場所を選ばずに使用できるので、日常的な飼育の使用は勿論のこと、ペットショップなどで、鳥のひなや、寒さに弱いペットなどの一時的な移動時の暖房手段としても活用できる。【０００６】  本発明品の袋本体部の表面に複数箇所に開けた小さな空気口によって、カイロの発熱のために必要な酸素を取り入れることができる上に、カイロの熱が袋の中にこもることなく外に発散できる。【０００７】  本発明品の袋本体部の開口部にチャックなどの開閉可能な止め具を設けれは、使い捨てカイロを取り替えて繰り返し使用することができる。【０００８】  本発明品は袋本体部がワンクッションになっているのでカイロを直に使用するよりも熱を緩和することができる上に、汚れにくく、飼育小屋や飼育カゴの中に置いてもペットが安全に暖をとることができる。【０００９】  本発明品にひも、針金、リング、シールなどの固定具を付属して使用すると、飼育カゴなどに固定して使用することができる。
【図面の簡単な説明】
【００１０】
【図１】本発明の正面図
【図２】本発明の固定具付き斜視図
【図３】本発明の使用状態を示す斜視図
【発明を実施するための形態】
【００１１】  以下、本発明の実施形態を説明する。
（イ）袋本体部（１）の開口部（２）にチャックやテープなどの止め具（３）を設ける。
（ロ）袋本体部（１）の表面の両面、または片面に空気口（４）として小穴を複数箇所に開ける。
（ハ）この袋本体部（１）に、後からひも、針金、リングなどの固定具（５）を付属できるように予め小穴部（６）に一箇所ないし数箇所の穴を開けておく。または、その小穴部（６）にひも、針金、リングなどの固定具（５）を付属する。または、袋本体部（１）の片面にシール部（７）を設けるなどして飼育カゴに固定できるようにする。
本発明は以上のような構造である。
本発明を使用するときは、本発明品に使い捨てカイロなどの暖房具（８）をいれて、袋本体部（１）の開口部（２）に設けたチャックやテープなどの止め具（３）で袋本体部（１）を閉じる。袋本体部（１）に開けた空気口（４）を表面に向けて、ペット用マットとして敷いて使用する。または、袋本体部（１）に予め開けた小穴部（６）や、袋本体部（１）に予め付属させたひも、針金、リングなどの固定具（５）、若しくは、シール部（７）などを利用して飼育カゴなどに固定して、簡易暖房具とする。
【符号の説明】
【００１２】１袋本体部、２開口部、３止め具、４空気口、５固定具、６小穴部、７シール部、
８暖房具
【図１】
2015211815.tif 000003
【図２】
2015211815.tif 000004
【図３】
2015211815.tif 000005